(57)【要約】      （修正有）【課題】外部記録媒体を挿脱自在な携帯電話機において、外部記録媒体に記録されているデータを保護する。【解決手段】携帯電話機１０１は、メモリカード１０２が挿脱自在であり、携帯電話機１０１及びメモリカード１０２はそれぞれ電話番号によって決まる固有ＩＤを有する。これら固有ＩＤの関係を固有ＩＤ判定手段２０４または電話番号判定手段で比較した結果から、メモリ制御手段２０２を制御することで、メモリカード１０２に記録されているデータに対するアクセス権を制限する。【選択図】図２
2007129743.tif 000002
【特許請求の範囲】
【請求項１】
外部記録媒体を挿脱自在な携帯電話機において、
前記携帯電話機の電話番号に基づいて識別情報を生成する識別情報作成手段と、
コンテンツデータと前記識別情報作成手段で生成された識別情報を前記外部記録媒体に記録する記録手段と、
前記識別情報作成手段で生成された該識別情報と前記外部記録媒体に記録されている識別情報とを比較する比較手段と、
前記比較手段の比較結果に基づいて前記外部記録媒体に記録されている前記コンテンツデータの再生を制限する制限手段と、
を備えることを特徴とする携帯電話機。
【請求項２】
前記外部記録媒体に前記コンテンツデータを記録する際に該コンテンツデータに関する付加情報を記録することを特徴とする請求項１記載の携帯電話機。
【請求項３】
外部記録媒体を挿脱自在な携帯電話機において、
暗号化コンテンツデータと該暗号化コンテンツデータを復号するためのキーであって前記携帯電話機の電話番号に基づいて暗号化された暗号化キーとを前記外部記録媒体に記録する手段と、
前記外部記録媒体に記録された前記暗号化キーを復号する暗号化キー復号手段と、
前記暗号化キー復号手段で復号できなかった場合には前記外部記録媒体に記録された前記暗号化コンテンツデータの再生を制限する制限手段と、
を備えることを特徴とする携帯電話機。
【請求項４】
前記外部記録媒体に前記暗号化コンテンツデータと前記暗号化キーを記録する際に該暗号化コンテンツデータに関する付加情報を記録することを特徴とする請求項３記載の携帯電話機。
【発明の詳細な説明】
【技術分野】
【０００１】
本発明は、携帯電話機の電話番号に基づいた固有ＩＤと、データとを記録可能な記録媒体が、本体に対して挿脱自在である携帯電話機に関するものである。
【背景技術】
【０００２】
従来、携帯電話機は無線回線を介した通話や各種情報ソースへのアクセス手段として用いられていたが、この携帯電話機の利便性に着目し、携帯電話機本体に対し挿脱自在な記録媒体を用いることで、携帯電話機において前記記録媒体を介して音楽データなどのデータの記録且つ/または再生を行う音楽配信システムを本出願人は特許文献１として提案した。
【０００３】
前記音楽配信システムにおいて、前記記録媒体に記録されている固有ＩＤにより暗号化コンテンツキーを復号し、該復号したコンテンツキーによって暗号化データが復号できれば、前記携帯電話機の電話番号に基づいて決まる固有ＩＤと該携帯電話機に挿入された前記記録媒体に記録されている固有ＩＤとが異なる場合においても、暗号化データを再生することが可能となっている。即ち、第１のユーザが音楽データなどのデータを著作権料を支払って購入し、該購入したデータを第１のユーザが所有する第１の携帯電話機で記録媒体に記録した場合、前記記録媒体に記録されているデータを他の第２のユーザが所有する第２の携帯電話機にて再生することを可能としている。
【特許文献１】特願平１１-７５９１６号
【発明の開示】
【発明が解決しようとする課題】
【０００４】
しかし、前記音楽配信システムでは、前記記録媒体に記録されているデータの保護が成されていないため、音楽データなどのデータを購入した第１のユーザ以外の第２のユーザが、第１のユーザの購入したデータを前記記録媒体から消去してしまうというような問題が発生する。
【０００５】
そこで、本願発明は前記従来技術のかかる問題を解決するため、前記記録媒体にデータを記録する前に、或いは同時に記録された携帯電話機の電話番号に基づく固有ＩＤにより、前記記録媒体の所有者を明確にし、前記携帯電話機の電話番号に基づき携帯電話機において生成した生成固有ＩＤと、該前記携帯電話機に挿入された前記記録媒体に記録されている記録固有ＩＤとの関係から、前記記録媒体に記録されているデータのアクセスを制限することで、前記記録媒体に記録されているデータの保護を行うことを目的とする。
【課題を解決するための手段】
【０００６】
請求項１に係る発明は、外部記録媒体を挿脱自在な携帯電話機において、前記携帯電話機の電話番号に基づいて識別情報を生成する識別情報作成手段と、コンテンツデータと前記識別情報作成手段で生成された識別情報を前記外部記録媒体に記録する記録手段と、前記識別情報作成手段で生成された該識別情報と前記外部記録媒体に記録されている識別情報とを比較する比較手段と、前記比較手段の比較結果に基づいて前記外部記録媒体に記録されている前記コンテンツデータの再生を制限する制限手段とを備えることを特徴とする。
【０００７】
従って請求項１に係る発明によって、前記外部記録媒体に記録されている識別情報が一致しないと判定された場合に、前記外部記録媒体に記録されているコンテンツの再生を制限することで、前記外部記録媒体に記録されているコンテンツの保護が可能となる。
【０００８】
請求項２に係る発明は、前記外部記録媒体に前記コンテンツデータを記録する際に該コンテンツデータに関する付加情報を記録することを特徴とする請求項１記載の携帯電話機である。
【０００９】
従って請求項２に係る発明によって、前記識別情報作成手段で識別情報を生成する場合に、前記携帯電話機の電話番号に加えて、前記コンテンツデータに関する付加情報を利用することが可能となる。
【００１０】
請求項３に係る発明は、外部記録媒体を挿脱自在な携帯電話機において、暗号化コンテンツデータと該暗号化コンテンツデータを復号するためのキーであって前記携帯電話機の電話番号に基づいて暗号化された暗号化キーとを前記外部記録媒体に記録する手段と、前記外部記録媒体に記録された前記暗号化キーを復号する暗号化キー復号手段と、前記暗号化キー復号手段で復号できなかった場合には前記外部記録媒体に記録された前記暗号化コンテンツデータの再生を制限する制限手段とを備えることを特徴とする携帯電話機である。
【００１１】
従って請求項３に係る発明によって、前記外部記録媒体に記録された前記暗号キーが前記暗号化キー復号手段で復号できなかった場合には、前記外部記録媒体に記録されているコンテンツの再生を制限することで、前記外部記録媒体に記録されているコンテンツの保護が可能となる。
【００１２】
請求項４に係る発明は、前記外部記録媒体に前記暗号化コンテンツデータと前記暗号化キーを記録する際に該暗号化コンテンツデータに関する付加情報を記録することを特徴とする請求項３記載の携帯電話機である。
【００１３】
従って請求項４に係る発明によって、前記暗号化コンテンツを復号するためのキーを暗合化する場合に、前記携帯電話機の電話番号に加えて、前記コンテンツデータに関する付加情報を利用することが可能となる。
【発明を実施するための最良の形態】
【００１４】
図を参照しつつ本発明の実施の形態を説明する。図１は本願発明の一実施例に係る携帯電話機の外観図である。図１において、１０１は前記携帯電話機、１０２は携帯電話機１０１に挿脱自在で固有ＩＤと音楽データ等の記録が可能な記録媒体となるメモリカード、１０３はダイヤルキー、または特殊キー等からなる前記携帯電話機１０１への入力手段であり、電話番号の入力等の他に、データ再生、データ記録、データ消去またはメモリ初期化などの意志決定を入力する手段としても用いられる。１０４は各種情報を表示する表示手段である。
【００１５】
図２において、２０１はメモリカード１０２内のシステムバスに接続されている各デバイスの制御を行うコントローラである。２０２はメモリ２０５に対し、再生、消去、記録、または初期化を行うメモリ制御手段である。２０３はメモリカードインタフェース２０７を介して転送された電話番号から生成固有ＩＤを生成する固有ＩＤ生成手段である。２０４は、メモリ２０５の固有ＩＤ格納部３０１に記録されている記録固有ＩＤと、固有ＩＤ生成手段２０３で携帯電話機の電話番号に基づいて生成した生成固有ＩＤとを比較する固有ＩＤ判定手段である。固有ＩＤ判定手段２０４における比較結果は、メモリカードインタフェース２０７を介して表示インタフェース２１４に転送され、表示手段１０４にて表示される。
【００１６】
２０５はメモリであり、図３にメモリ２０５のデータブロック構成図を示す。メモリ２０５は、生成固有ＩＤを記録固有ＩＤとして格納する固有ＩＤ格納部３０１と、記録固有ＩＤにより復号可能な暗号化コンテンツキーを格納する暗号化コンテンツキー格納部３０２と、復号したコンテンツキーにより復号可能な暗号化データを格納する暗号化データ格納部３０３と、前記暗号化データ群に関する著作権情報等の付加情報データを記録する付加情報データ格納部３０４から成る。固有ＩＤ格納部３０１に記録される記録固有ＩＤは、メモリ２０５がメモリ制御手段２０２によって初期化される時にのみ固有ＩＤ生成手段２０３にて生成された生成固有ＩＤを記録固有ＩＤとして記録する。
【００１７】
２０６はメモリ２０５に記録されている記録固有ＩＤ及び暗号化コンテンツキーに基づいて暗号化データを復号する復号手段、２０７はメモリカードインタフェースであり、携帯電話機１０１とメモリカード１０２とを接続するコネクタを有している。２０８はＣＰＵ、２０９はＲＯＭであり、ＲＯＭ２０９に格納されているプログラムによってＣＰＵ２０８はシステムバスに接続されている各デバイスの制御を行う。２１０は入力手段１０３からの入力をデコードし、ＣＰＵ２０８への出力を行うキーインタフェースである。
【００１８】
２１１は音声ドライバであり、音声とデータとの相互変換をし、システムバス、イヤホンジャック２１２または送受話器２１３に対し、その変換した音声またはデータの入出力を行う。２１４は表示インタフェースであり、システムバスからの入力をデコードし、表示手段１０４への出力を行う。
【００１９】
２１５は、復号手段２０６で復号した音楽データ等のデータの再生を行う再生手段である。再生されたデータが音楽データの場合はイヤホンジャック２１２または送受話器２１３へ、画像データの場合は表示インタフェース２１４を介して表示手段１０４へ、音声データの場合は音声ドライバ２１１を介してイヤホンジャック２１２または送受話器２１３へデータを出力する。２１６は通話時における発信を行う発信手段である。２１７は通話時における受信を行う受信手段である。２１８は携帯電話網を形成する固定局との無線通信を行う無線部である。
【００２０】
図４、図５を参照して、記録固有ＩＤと生成固有ＩＤの対応について説明する。第１の携帯電話機４０１、第２の携帯電話機５０１は前記携帯電話機１０１と同一の構造を持つ携帯電話機であって、音楽データ等のデータを第１の携帯電話機４０１の利用者が購入し、メモリカード１０２と同一の構造を持つメモリカード４０２に該データを記録したものである。図４は、第１の携帯電話機４０１にメモリカード４０２が挿入されている状態を示す図である。第１の携帯電話機４０１の電話番号は「０９０-○×○○ー△△×１」であり、前記電話番号に基づく固有ＩＤを固有ＩＤ１とする。メモリカード４０２は例えば第１の携帯電話機４０１にて初期化されたメモリカードであり、固有ＩＤ格納部３０１に記録されている記録固有ＩＤ１は、第１の携帯電話機４０１の固有ＩＤ生成手段２０３にて生成した固有ＩＤ１をメモリカード４０２の初期化時に記録固有ＩＤとして記録したものである。本状態、即ちメモリカード４０２を初期化した第１の携帯電話機４０１にメモリカード４０２を挿入した状態にある時には、固有ＩＤ判定手段２０４により記録固有ＩＤと生成固有ＩＤとが一致するという比較結果が得られる。図５は、第２の携帯電話機５０１に、メモリカード４０２が挿入されている状態を示す図である。携帯電話機５０１の電話番号は「０９０-○×○○ー△△×２」であり、第２の携帯電話機５０１の固有ＩＤ生成手段２０３によって生成した生成固有ＩＤは、前記固有ＩＤ１とは異なるものである。従って、第２の携帯電話機５０１の固有ＩＤ判定手段２０４においてメモリカード４０２に記録された前記固有ＩＤ１と第２の携帯電話機の固有ＩＤ生成手段２０３にて生成した生成固有ＩＤとが一致しないという比較結果が得られる。
【００２１】
図６は、固有ＩＤ生成手段２０３により生成した生成固有ＩＤと、メモリ２０５に記録されている記録固有ＩＤとが一致するか一致しないかを固有ＩＤ判定手段２０４により比較した比較結果により、メモリに対する再生、記録、消去または初期化処理を制限する方法の第１の実施例であり、一致しないと判定された時に、記録及び消去を不可能、初期化をメモリカードに記録されている記録固有ＩＤの元となった電話番号を入力することで可能としている。本実施例に沿って、再生、記録、消去及び初期化の各動作について説明する。
【００２２】
先ず、再生時について説明する。入力手段１０３により再生指令があった場合、該再生指令はキーインタフェース２１０を介して、ＣＰＵ２０８へと伝えられる。該再生指令を受けたＣＰＵ２０８は、メモリカードインタフェース２０７を介して、メモリカード１０２に内蔵のコントローラ２０１に対し再生指令を送る。
【００２３】
コントローラ２０１はメモリ制御手段２０６に対し固有ＩＤを読み出すよう指令し、メモリ制御手段２０２は、メモリ２０５の固有ＩＤ格納部３０１から記録固有ＩＤを、暗号化コンテンツキー格納部３０２から暗号化コンテンツキーを読み出し、復号手段２０６に供給する。コントローラ２０１は復号手段２０６に対しコンテンツキーの復号開始を指令し、復号手段２０６は、読み出した記録固有ＩＤを鍵として暗号化コンテンツキーからコンテンツキーを復号する。コンテンツキーを復号した後、復号手段２０６は、コンテンツキーの復号が行えたか行えなかったかをコントローラ２０１へと伝える。
【００２４】
復号手段２０６でコンテンツキーの復号が行えた場合、コントローラ２０１はメモリ制御手段２０２に対しメモリ２０５の暗号化データ格納部３０３から暗号化データを読み出すように指令すると共に、復号回路２０６に対し、該読み出した暗号化データと復号したコンテンツキーによりデータを復号するよう指令する。復号されたデータはＣＰＵ２０８の指示に従い、音声データであれば音声ドライバ２１１にて音声として再生され、音楽データであれば再生手段２１５にて音楽として再生され、送受話器２１３またはイヤホンジャック２１２へ出力される。また、文字データまたは画像データであれば表示インタフェース２１４を介し、表示手段１０４へと出力される。
【００２５】
復号手段２０６でコンテンツキーの復号が行われなかった場合、コントローラ２０１は、メモリインタフェース２０１を介し、ＣＰＵ２０８に再生不可能であることを伝え、ＣＰＵ２０８は表示インタフェース２１４を介して表示手段１０４により再生不可能であることを表示する。但し、再生不可能な状態であることを音等にて報知するようにしてもよい。
【００２６】
再生時における処理フローを図７のフローチャートに沿って説明する。Ｓ７１で再生指令を受けると、Ｓ７２及びＳ７３でメモリから記録固有ＩＤ及び暗号化コンテンツキーを読み出す。次にＳ７４で、Ｓ７２及びＳ７３で読み出した記録固有ＩＤと暗号化コンテンツキーからコンテンツキーの復号を行い、Ｓ７５でコンテンツキーの復号が正常に終了したか否かを判定する。Ｓ７５でコンテンツキーの復号が正常に終了した、即ち復号可能な場合、Ｓ７６で暗号化データの復号及び再生を行い、再生処理を終了する。Ｓ７５でコンテンツキーの復号が正常に終了しない、即ち復号不可能な場合、Ｓ７７で再生不可能表示を行い、再生を行わないまま処理を終了する。Ｓ７２とＳ７３は順序が逆、または同時並行に行っても良い。
【００２７】
本実施例においては、メモリ２０５に記録されている記録固有ＩＤと携帯電話機１０１の固有ＩＤ生成手段２０３にて生成した生成固有ＩＤとを固有ＩＤ判定手段２０４にて比較した結果に関わらず、再生可能としている。従って、図４または図５のどちらの状態である場合でも再生可能、即ち第１の携帯電話機４０１でメモリカード４０２に記録したデータを、第１の携帯電話機４０１、または第２の携帯電話機５０１のいずれの携帯電話機においても再生可能である。次に、消去について説明する。入力手段１０３により消去指令があった場合、該消去指令はキーインタフェース２１０を介して、ＣＰＵ２０８へと伝えられる。該消去指令を受けたＣＰＵ２０８は、メモリカードインタフェース２０７を介して、メモリカード１０２に内蔵のコントローラ２０１に対し消去指令を送る。コントローラ２０１はメモリ制御手段２０６に対し記録固有ＩＤを固有ＩＤ判定手段２０４に供給するよう指示する。メモリ制御手段２０２は、メモリ２０５の固有ＩＤ格納部３０１から記録固有ＩＤを読み出し、固有ＩＤ判定手段２０４に供給する。また、コントローラ２０１は固有ＩＤ生成手段２０３に対し、携帯電話機１０１の電話番号から生成固有ＩＤを生成するよう指令を出し、該指令を受けた固有ＩＤ生成手段２０３は、携帯電話機１０１の電話番号から生成固有ＩＤを生成し、固有ＩＤ判定手段２０４に供給する。コントローラ２０１は固有ＩＤ判定手段２０４に対し、メモリ２０５から読み出した記録固有ＩＤと、固有ＩＤ生成手段２０３にて生成した生成固有ＩＤとが一致するか否かを判断するように指令する。コントローラ２０１は固有ＩＤ判定手段２０４による一致か否かの判断を受け、一致であれば、メモリ制御手段２０２に対し暗号化コンテンツキー、暗号化データまたは/及び付加情報データをメモリ２０５から消去するように指令する。固有ＩＤ判定手段２０４の判定が一致でなければ、コントローラ２０１は、メモリインタフェース２０１を介し、ＣＰＵ２０８に消去不可能であることを伝え、ＣＰＵ２０８は表示インタフェース２１４を介して表示手段１０４により消去不可能であることを表示する。但し、消去不可能な状態であることを音等にて報知するようにしてもよい。
【００２８】
消去時における処理フローを図８のフローチャートに沿って説明する。Ｓ８１の処理指令で消去指令を受けると、Ｓ８２でメモリから記録固有ＩＤを読み出し、Ｓ８３で携帯電話機の電話番号から生成固有ＩＤを生成する。次にＳ８４で、Ｓ８２で読み出した記録固有ＩＤとＳ８３で生成した生成固有ＩＤが一致するか否かを判定し、一致であれば、Ｓ８５でメモリから暗号化コンテンツキー、暗号化データまたは/及び付加情報データの消去を行い、消去処理を終了する。Ｓ８４で一致でなければ、Ｓ８６で不可能表示を行い、消去を行わないまま処理を終了する。Ｓ８２とＳ８３は順序が逆、または同時並行に行っても良い。
【００２９】
本実施例においては、メモリ２０５に記録されている記録固有ＩＤと携帯電話機１０１の固有ＩＤ生成手段２０３にて生成した生成固有ＩＤとを固有ＩＤ判定手段２０４にて比較し、一致しなければ消去不可能としている。従って、図４の状態にある場合には消去可能、即ち第１の携帯電話機４０１でメモリカード４０２に記録したデータを第１の携帯電話機４０１にて消去可能であるが、図５の状態にある場合には消去不可能、即ち第１の携帯電話機４０１でメモリカード４０２に記録したデータを第２の携帯電話機５０１にて消去不可能である。
【００３０】
次に記録時について説明する。但し、固有ＩＤ判定手段２０４にて一致か否か判定するまでは、消去時の場合と同様であるため説明を省略する。コントローラ２０１は固有ＩＤ判定手段２０４による一致か否かの判断を受け、一致であれば、メモリ制御手段２０２に対し暗号化コンテンツキー、暗号化データまたは/及び付加情報データをメモリ２０５に記録するように指令する。固有ＩＤ判定手段２０４の判定が一致でなければ、コントローラ２０１は、メモリインタフェース２０１を介し、ＣＰＵ２０８に記録不可能であることを伝え、ＣＰＵ２０８は表示インタフェース２１４を介して表示手段１０４により記録不可能であることを表示する。但し、記録不可能な状態であることを音等にて報知するようにしてもよい。
【００３１】
記録時における処理フローについても消去時と同様で、図８のＳ８５において暗号化コンテンツキー、暗号化データまたは/及び付加情報データをメモリに記録する、とすればよい。
【００３２】
本実施例においては、メモリ２０５に記録されている記録固有ＩＤと携帯電話機１０１の固有ＩＤ生成手段２０３にて生成した生成固有ＩＤとを固有ＩＤ判定手段２０４にて比較し、一致しなければ記録不可能としている。従って、図４の状態にある場合には記録可能、即ち第１の携帯電話機４０１で初期化したメモリカード４０２に携帯電話機４０１にてデータを記録可能であるが、図５の状態にある場合には記録不可能、即ち第１の携帯電話機４０１で初期化したメモリカード４０２に第２の携帯電話機５０１にてデータを記録不可能である。次に、初期化時について説明する。入力手段１０３により初期化指令があった場合、該消去指令はキーインタフェース２１０を介して、ＣＰＵ２０８へと伝えられる。該消去指令を受けたＣＰＵ２０８は、メモリカードインタフェース２０７を介して、メモリカード１０２に内蔵のコントローラ２０１に対し初期化指令を送る。コントローラ２０１はメモリ制御手段２０６に対し記録固有ＩＤを固有ＩＤ判定手段２０４に供給するよう指示する。メモリ制御手段２０２は、メモリ２０５の固有ＩＤ格納部３０１から記録固有ＩＤを読み出し、固有ＩＤ判定手段２０４に供給する。また、コントローラ２０１は固有ＩＤ生成手段２０３に対し、携帯電話機１０１の電話番号から生成固有ＩＤを生成するよう指令を出し、該指令を受けた固有ＩＤ生成手段２０３は、携帯電話機１０１の電話番号から生成固有ＩＤを生成し、固有ＩＤ判定手段２０４に供給する。コントローラ２０１は固有ＩＤ判定手段２０４に対し、メモリ２０５から読み出した記録固有ＩＤと、固有ＩＤ生成手段２０３にて生成した生成固有ＩＤとが一致するか否かを判断するように指令する。コントローラ２０１は固有ＩＤ判定手段２０４による一致か否かの判断を受け、一致であれば、メモリカードインタフェース２０７を介して、ＣＰＵに第１の初期化確認を行うよう伝える。ＣＰＵは表示インタフェース２１４を介して表示手段１０４により記録固有ＩＤと第１の生成固有ＩＤとが一致する旨及び第１の初期化確認の表示を行い、入力手段１０３からの入力を待つ。入力手段１０３からの入力結果は、キーインタフェース２１０を介してＣＰＵ２０８へと伝わり、ＣＰＵ２０８は該入力結果が初期化続行であればコントローラ２０１に初期化続行を指令する。初期化続行の指令を受けたコントローラ２０１は、メモリ制御手段２０２に対しメモリ２０５を初期化するよう指令する。初期化指令を受けたメモリ制御手段２０２はメモリ２０５の初期化を行った後、メモリ２０５の固有ＩＤ格納部３０１に第１の生成固有ＩＤを記録する。入力手段１０３からの入力結果が初期化中止であればＣＰＵ２０８は初期化処理を全て中止する。また、固有ＩＤ判定手段２０４による判定が一致しなければ、コントローラ２０１は、メモリインタフェース２０１を介し、ＣＰＵ２０８に一致しないことを伝え、ＣＰＵ２０８は表示インタフェース２１４を介して表示手段１０４により記録固有ＩＤと第１の生成固有ＩＤが一致しない旨及び電話番号入力の表示を行い、入力手段１０３からの入力を待つ。入力手段１０３からの入力された電話番号はキーインタフェース２１０を介し、ＣＰＵ２０８へと伝えられ、ＣＰＵ２０８はメモリインタフェース２１０を介し、コントローラ２０１に入力手段１０３からのに入力があったことを伝え、固有ＩＤ生成手段２０３へ電話番号を転送する。コントローラ２０１は固有ＩＤ生成手段２０３に対し、ＣＰＵ２０８から転送された電話番号から第２の生成固有ＩＤを生成するよう指令する。第２の生成固有ＩＤの生成後、コントローラ２０１は、固有ＩＤ判定手段２０４に対し、第２の生成固有ＩＤと記録固有ＩＤを比較するよう指令し、コントローラ２０１は固有ＩＤ判定手段２０４による一致か否かの判断を受け、一致であれば、メモリカードインタフェース２０７を介して、ＣＰＵに第２の初期化確認を行うよう伝える。ＣＰＵは表示インタフェース２１４を介して表示手段１０４により記録固有ＩＤと第２の生成固有ＩＤとが一致する旨及び第２の初期化確認の表示を行い、入力手段１０３からの入力を待つ。入力手段１０３からの入力結果は、キーインタフェース２１０を介してＣＰＵ２０８へと伝わり、ＣＰＵ２０８は該入力結果が初期化続行であればコントローラ２０１に初期化続行を指令する。初期化続行の指令を受けたコントローラ２０１は、メモリ制御手段２０２に対しメモリ２０５を初期化するよう指令する。初期化指令を受けたメモリ制御手段２０２はメモリ２０５の初期化を行った後、メモリ２０５の固有ＩＤ格納部３０１に第１の生成固有ＩＤを記録する。入力手段１０３からの入力結果が初期化中止であれば、ＣＰＵ２０８は初期化処理を全て中止する。また、固有ＩＤ判定手段２０４による第２の生成固有ＩＤと記録固有ＩＤとの比較結果が一致でなければ、コントローラ２０１は、メモリインタフェース２０１を介し、ＣＰＵ２０８に初期化不可能であることを伝え、ＣＰＵ２０８は表示インタフェース２１４を介して表示手段１０４により初期化不可能であることを表示する。但し、初期化不可能な状態であることを音等にて報知するようにしてもよい。
【００３３】
初期化時における処理フローを図９のフローチャートに沿って説明する。Ｓ９１で初期化指令を受けると、Ｓ９２でメモリから記録固有ＩＤを読み出し、Ｓ９３で携帯電話機の電話番号から第1の生成固有ＩＤを生成する。次にＳ９４で、Ｓ９２で読み出した記録固有ＩＤとＳ９３で生成した第１の生成固有ＩＤとが一致するか否かを判定し、一致であれば、Ｓ９５へと進む。Ｓ９４で一致でなければ、Ｓ９７で暗証番号となる電話番号を取得し、該取得した電話番号からＳ９８で第２の生成固有ＩＤを生成する。Ｓ９９で、Ｓ９２で読み出した記録固有ＩＤとＳ９８で生成した第２の生成固有ＩＤとが一致するか否かを判定し、一致であれば、Ｓ９５へ進む。Ｓ９９で一致でなければ、Ｓ９０で不可能表示を行い、初期化を行わないまま処理を終了する。Ｓ９５で初期化確認及び初期化処理を行う。初期化確認で初期化続行であれば、メモリを初期化した後、第１の生成固有ＩＤをメモリに記録し、初期化処理を終了する。初期化確認で初期化中止であれば、初期化処理を行わないまま処理を終了する。Ｓ９２とＳ９３は順序が逆、または同時並行に行っても良い。本実施例においては、メモリ２０５に記録されている記録固有ＩＤと携帯電話機１０１の固有ＩＤ生成手段２０３にて電話番号から生成した生成固有ＩＤとを固有ＩＤ判定手段２０４にて比較した結果が一致しない、且つ、メモリ２０５に記録されている記録固有ＩＤと携帯電話機１０１の固有ＩＤ生成手段２０３にて入力手段１０３より入力された電話番号から生成した生成固有ＩＤとを固有ＩＤ判定手段２０４にて比較した結果が一致しなければ初期化不可能としている。従って、図４の状態にある場合には初期化可能、即ち第１の携帯電話機４０１にてメモリカード４０２を初期化可能であるが、図５の状態にある場合には暗証番号を入力する条件付可能、即ち第２の携帯電話機５０１にてメモリカード４０２の初期化を行う場合、第１の携帯電話機４０１の電話番号を入力すれば、メモリカード４０２を初期化可能である。故に本実施例では、メモリに記録されている記録固有ＩＤと、携帯電話機の電話番号から生成した生成固有ＩＤとが一致すれば、再生、記録、消去及び初期化を可能とし、一致しない場合には再生を可能、記録及び消去を不可能、初期化を条件付可能とすることで、メモリに記録されているデータの保護を行っている。また、第１の携帯電話機を廃棄し、電話番号の異なる新たな第２の携帯電話機を購入した場合等を考慮し、第１の携帯電話機で使用していたメモリカードを第２の携帯電話機において初期化する時に、第１の携帯電話機の電話番号等を入力することでメモリの初期化を可能とすることで、メモリカードの再利用を可能としている。図１０は、固有ＩＤ生成手段２０３により生成した生成固有ＩＤと、メモリ２０５に記録されている記録固有ＩＤとが一致するかしないかを固有ＩＤ判定手段２０４により比較した比較結果により、再生、記録、消去または初期化動作を制限する方法の第２の実施例であり、一致すると判定された時に、再生、記録、消去及び初期化を可能とし、一致しないと判定された時には再生のみを可能とし、記録、消去及び初期化を不可能としている。本実施例における読み出し、記録または消去は��１の実施例と全く同様であるため、説明は省略する。また初期化については、図８のフローチャートにおけるＳ８５において初期化処理を行えばよいため説明を省略する。本実施例では、メモリに記録されている記録固有ＩＤと、携帯電話機の電話番号から生成した生成固有ＩＤとが一致しない場合には再生のみを可能とすることで、メモリに記録されているデータの全面的な保護を行うことが可能となる。図１１は、固有ＩＤ生成手段２０３により生成した生成固有ＩＤと、メモリ２０５に記録されている記録固有ＩＤとが一致するかしないかを固有ＩＤ判定手段２０４により比較した比較結果により、再生、記録、消去または初期化動作を制限する方法の第３の実施例であり、一致すると判定された時に再生、記録、消去及び初期化を可能とし、一致しないと判定された時に、再生を可能とし、暗証番号（例えば、メモリカードに記録されている記録固有ＩＤの元となった電話番号）を入力することで記録、消去または初期化を可能としている。本実施例における再生及び初期化の各動作、及びフローチャートは第１の実施例と全く同様であるため、説明は省略する。また、記録または消去については、図９のフローチャートにおけるＳ９５において記録または消去処理を行えばよいため説明を省略する。本実施例では、メモリに記録されている記録固有ＩＤと、携帯電話機の電話番号から生成した生成固有ＩＤとが一致しない場合には再生を可能とし、また、第１の携帯電話機を廃棄し、電話番号の異なる新たな第２の携帯電話機を購入した場合等を考慮し、第１の携帯電話機で使用していたメモリカードを第２の携帯電話機において記録、消去または初期化する時に、第１の携帯電話機の電話番号等を入力することでメモリの記録、消去または初期化を可能とすることで、メモリカードの再利用を可能とし、且つメモリに記録されているデータの保護を行っている。
【００３４】
図１２は、固有ＩＤ生成手段２０３により生成した生成固有ＩＤと、メモリ２０５に記録されている記録固有ＩＤとが一致するかしないかを固有ＩＤ判定手段２０４により比較した比較結果により、再生、記録、消去または初期化動作を制限する方法の第４の実施例であり、一致すると判定された時に再生、記録、消去及び初期化を可能とし、一致しないと判定された時に、再生または記録を可能とし、暗証番号（例えば、メモリカードに記録されている記録固有ＩＤの元となった電話番号）を入力することで消去または初期化を可能としている。第４の実施例における再生、消去または初期化は第２の実施例と全く同様であるため、説明は省略する。また、記録については、記録固有ＩＤと生成固有ＩＤとを比較せずに記録動作を行えばよいため説明を省略する。本実施例では、メモリに記録されている記録固有ＩＤと、携帯電話機の電話番号から生成した生成固有ＩＤとが一致しない場合には再生または記録を可能とし、また、第１の携帯電話機を廃棄し、電話番号の異なる新たな第２の携帯電話機を購入した場合等を考慮し、第１の携帯電話機で使用していたメモリカードを第２の携帯電話機において消去または初期化する時に、第１の携帯電話機の電話番号等を入力することでメモリの消去または初期化を可能とすることで、メモリカードの再利用を可能とし、且つメモリに記録されているデータの保護を行っている。
【００３５】
第１及至第４の実施例以外にも、再生、記録、消去または初期化に対し、可、不可または条件付可の制約を組み合わせることができるのは云うまでもない。
【００３６】
図１３は、図１の携帯電話機１０１及びメモリカード１０２における他の回路ブロック図の一実施例である。図２の実施例と異なる点は、メモリ２０５に記録されている固有ＩＤから元となった電話番号を一意的に生成する電話番号生成手段１３１が備えられており、図２の実施例では固有ＩＤ判定手段２０４で携帯電話機１０１の所有者とメモリカード１０２の所有者が等しいか否かを判定していたのに対し、本実施例ではメモリ２０５に記録されている固有ＩＤから電話番号生成手段１３１により生成した生成電話番号と、携帯電話機１０１の電話番号とを電話番号判定手段１３２において比較することで、携帯電話機１０１の所有者とメモリカード１０２の所有者が一致するか否かを判定する点である。
【００３７】
但し、図２または図３の実施例において、電話番号判定手段１３２、固有ＩＤ判定手段２０４、固有ＩＤ生成手段２０３、電話番号生成手段１３１、メモリ制御手段２０２、再生手段２１５または復号手段２０６をメモリカード１０２に内蔵のものとしたが、いずれかの手段が携帯電話機１０１に内蔵であっても構わないものとする。
【図面の簡単な説明】
【００３８】
【図１】本発明の携帯電話機の外観を示す図である。
【図２】本発明の第１実施例を示す回路ブロック図である。
【図３】本発明に係るメモリカードの構成図である。
【図４】本発明においてメモリカードが挿入された第１の状態を示す図である。
【図５】本発明においてメモリカードが挿入された第２の状態を示す図である。
【図６】本発明の制御の第１の例を示す図である。
【図７】本発明における再生動作を示すフローチャートである。
【図８】本発明における消去動作を示すフローチャートである。
【図９】本発明における初期化動作を示すフローチャートである。
【図１０】本発明における制御の第２の実施例を示す図である。
【図１１】本発明における制御の第３の実施例を示す図である。
【図１２】本発明における制御の第４の実施例を示す図である。
【図１３】本発明の第２実施例を示す回路ブロック図である。
【符号の説明】
【００３９】
１０１  …  携帯電話機
１０２  …  メモリカード
１０３  …  入力手段
１０４  …  表示手段
２０１  …  コントローラ
２０２  …  メモリ制御手段
２０３  …  固有ＩＤ生成手段
２０４  …  固有ＩＤ判定手段
２０５  …  メモリ
２０６  …  復号手段
２０７  …  メモリカードインタフェース
２０８  …  ＣＰＵ
２０９  …  ＲＡＭ
２１０  …  キーインタフェース
２１１  …  音声ドライバ
２１２  …  イヤホンジャック
２１３  …  送受話器
２１４  …  表示インタフェース
２１５  …  再生手段
２１６  …  発信手段
２１７  …  受信手段
２１８  …  無線部
３０１  …  固有ＩＤ格納部
３０２  …  暗号化コンテンツキー格納部
３０３  …  暗号化データ格納部
３０４  …  付加情報データ格納部
１３１  …  電話番号生成手段
１３２  …  電話番号判定手段
【図１】
2007129743.tif 000003
【図２】
2007129743.tif 000004
【図３】
2007129743.tif 000005
【図４】
2007129743.tif 000006
【図５】
2007129743.tif 000007
【図６】
2007129743.tif 000008
【図７】
2007129743.tif 000009
【図８】
2007129743.tif 000010
【図９】
2007129743.tif 000011
【図１０】
2007129743.tif 000012
【図１１】
2007129743.tif 000013
【図１２】
2007129743.tif 000014
【図１３】
2007129743.tif 000015